(57)【要約】【課題】  たとえキートップの高さが高かったり複雑な形状であったりしても、キートップの表面を高品質の色彩からなる装飾層で覆うことが容易に行なえるキートップ体を提供する。【解決手段】  フイルム板２０に複数のキートップ本体５０を成形することでキートップ（中央のキートップ１０−１と中央のキートップ１０−１の周囲の複数のキートップ１０−２〜５）を形成する。キートップ１０−１〜５は何れもフイルム板２０に設けた穴２１を介してその上下にキートップ本体５０を成形して構成される。キートップ１０−２〜５間はフイルム板２０で構成される外周の連結部３０によって連結され、キートップ１０−１は連結部３０の途中から分岐する連結部３５によって連結される。キートップ本体上面部５１とフイルム板２０の上面にスプレー塗装による塗装膜からなる装飾層６０を形成する。【選択図】      図１
2004186146.tif 000002
【特許請求の範囲】
【請求項１】
フイルム板に複数のキートップ本体を成形することで複数のキートップを形成してなる構造のキートップ体において、
前記キートップは、中央のキートップとこの中央のキートップの周囲の複数のキートップとからなり、これらキートップは何れも前記フイルム板に設けた貫通する穴を介してその上下に合成樹脂製のキートップ本体を成形して構成され、さらに前記周囲の複数のキートップ間は前記フイルム板で構成される外周の連結部によって連結され、前記中央のキートップは前記外周の連結部の途中から分岐する中央の連結部によって連結され、
前記連結部の少なくとも一つ以上にこのキートップ体を他の部材に位置決めするための位置決め孔を形成し、
さらに前記複数のキートップ本体のフイルム板上面に取り付くキートップ本体上面部と少なくともその外周に位置するフイルム板の上面とにスプレー塗装による塗装膜からなる装飾層を形成したことを特徴とするキートップ体。
【請求項２】
フイルム板に複数のキートップ本体を成形することで複数のキートップを形成してなる構造のキートップ体において、
前記キートップは、中央のキートップとこの中央のキートップの周囲の複数のキートップとからなり、これらキートップは何れも前記フイルム板に設けた貫通する穴を介してその上下に合成樹脂製のキートップ本体を成形して構成され、さらに前記周囲の複数のキートップ間は前記フイルム板で構成される外周の連結部によって連結され、前記中央のキートップは前記外周の連結部の途中から分岐する中央の連結部によって連結され、
前記外周の連結部の途中の部分から外方に向けて引き出して形成される位置決め孔形成部に、このキートップ体を他の部材に位置決めするための位置決め孔を設け、
さらに前記複数のキートップ本体のフイルム板上面に取り付くキートップ本体上面部と少なくともその外周に位置するフイルム板の上面とにスプレー塗装による塗装膜からなる装飾層を形成したことを特徴とするキートップ体。
【請求項３】
前記中央のキートップとこの中央のキートップの周囲の複数のキートップは、それぞれ連結部のみによって一体化されていることを特徴とする請求項１又は２に記載のキートップ体。
【請求項４】
前記キートップ本体上面部の外周には、フイルム板がはみ出すことでつば部が形成され、且つ前記連結部はそれぞれのつば部の外周に連結され、
さらに前記キートップ本体上面部の表面とつば部と連結部の上面全体に、前記スプレー塗装による塗装膜からなる装飾層が形成されていることを特徴とする請求項１又は２又は３に記載のキートップ体。
【請求項５】
前記中央の連結部は、中央のキートップの中心から見て９０°の方向に二本のみ設けられていることを特徴とする請求項１又は２又は３又は４に記載のキートップ体。
【発明の詳細な説明】
【技術分野】
【０００１】
本発明は、複数のキートップ本体を一枚のフイルム板に成形することで構成されるキートップ体に関するものである。
【背景技術】
【０００２】
従来、小型・薄型化を図るために合成樹脂フイルムからなるフイルム板に直接合成樹脂製のキートップ本体を複数個成形してなるキートップ体が開発されている。そしてこの種のキートップ体として、例えば特許文献１に示すように、フイルム板を上方向に湾曲させてその湾曲部内にキートップ本体となる成形樹脂を充填する構造のキートップを複数個具備するキートップ体があった。このタイプのキートップ体は、フイルム板表面に所望の印刷層を設けるだけで、各キートップ１０表面の装飾が行なえ、しかもフイルム板表面への印刷層の印刷は容易で、しかも各種高品質の装飾が行なえ、例えば金属感を出すメタリック色調の装飾であってもこれを容易に行なえ好適であった。
【０００３】
しかしながら上記構造のキートップ体の場合、キートップの高さがフイルム板よりも所定寸法以上高かったり、キートップの形状が鋭角な角部を有する等、複雑な形状であったりすると、フイルム板の湾曲変形がうまく行なえず、その製造が困難になるという問題点があった。
【０００４】
上記問題点を解決するには、フイルム板に穴を設けてこの穴を介してその上下に合成樹脂からなるキートップ本体を成形することでキートップ体を製造するようにすればよい。このようにしてキートップ体を製造すればフイルム板を変形することなく、単にフイルム板の上下に合成樹脂製のキートップ本体を成形するだけでよいので、キートップ本体の形状はこれを成形する成形金型のキャビティーの形状によってどのようにも成形できる。
【０００５】
そして上記構造のキートップにおいて、キートップ表面を所望の色彩で装飾しようとした場合は、成形しようとする合成樹脂自体に予め色をつけておき、この合成樹脂によってキートップ本体を成形するようにしていた。即ち例えば前記色彩が金属感を出すメタリック色調の色彩である場合、成形しようとする溶融合成樹脂に金属粉を混入しておくことでメタリック色調を生じさせていた。
【０００６】
しかしながら金属粉を混入した溶融合成樹脂によって実際にキートップ本体を成形した場合、成形固化後のキートップ本体表面に金属粉が流れたような模様、いわゆるウエルドラインが発生し易く、これが生じたものについては不良品となってしまう。またたとえウエルドラインが生じないものでもキートップを完全なメタリック調にすることは困難であった。この問題はメタリック調の装飾の場合に特に問題となるが、これに限られず、他の各種高品質な色彩で装飾しようとするキートップを製造する場合にも同様に問題となる。
【特許文献１】特開平７−３０２５２６号公報
【発明の開示】
【発明が解決しようとする課題】
【０００７】
本発明は上述の点に鑑みてなされたものでありその目的は、たとえキートップの高さが高かったり複雑な形状であったりしても、キートップの表面を高品質の色彩からなる装飾層で覆うことが容易に行なえるキートップ体を提供することにある。
【課題を解決するための手段】
【０００８】
上記問題点を解決するため本願の請求項１にかかるキートップ体は、フイルム板に複数のキートップ本体を成形することで複数のキートップを形成してなる構造のキートップ体において、前記キートップは、中央のキートップとこの中央のキートップの周囲の複数のキートップとからなり、これらキートップは何れも前記フイルム板に設けた貫通する穴を介してその上下に合成樹脂製のキートップ本体を成形して構成され、さらに前記周囲の複数のキートップ間は前記フイルム板で構成される外周の連結部によって連結され、前記中央のキートップは前記外周の連結部の途中から分岐する中央の連結部によって連結され、前記連結部の少なくとも一つ以上にこのキートップ体を他の部材に位置決めするための位置決め孔を形成し、さらに前記複数のキートップ本体のフイルム板上面に取り付くキートップ本体上面部と少なくともその外周に位置するフイルム板の上面とにスプレー塗装による塗装膜からなる装飾層を形成したことを特徴とするキートップ体にある。
【０００９】
本願の請求項２にかかるキートップ体は、フイルム板に複数のキートップ本体を成形することで複数のキートップを形成してなる構造のキートップ体において、前記キートップは、中央のキートップとこの中央のキートップの周囲の複数のキートップとからなり、これらキートップは何れも前記フイルム板に設けた貫通する穴を介してその上下に合成樹脂製のキートップ本体を成形して構成され、さらに前記周囲の複数のキートップ間は前記フイルム板で構成される外周の連結部によって連結され、前記中央のキートップは前記外周の連結部の途中から分岐する中央の連結部によって連結され、前記外周の連結部の途中の部分から外方に向けて引き出して形成される位置決め孔形成部に、このキートップ体を他の部材に位置決めするための位置決め孔を設け、さらに前記複数のキートップ本体のフイルム板上面に取り付くキートップ本体上面部と少なくともその外周に位置するフイルム板の上面とにスプレー塗装による塗装膜からなる装飾層を形成したことを特徴とするキートップ体にある。
【００１０】
本願の請求項３にかかる発明は、前記中央のキートップとこの中央のキートップの周囲の複数のキートップは、それぞれ連結部のみによって一体化されていることを特徴とする請求項１又は２に記載のキートップ体にある。
【００１１】
本願の請求項４に係る発明は、前記キートップ本体上面部の外周には、フイルム板がはみ出すことでつば部が形成され、且つ前記連結部はそれぞれのつば部の外周に連結され、さらに前記キートップ本体上面部の表面とつば部と連結部の上面全体に、前記スプレー塗装による塗装膜からなる装飾層が形成されていることを特徴とする請求項１又は２又は３に記載のキートップ体にある。
【００１２】
本願の請求項５にかかる発明は、前記中央の連結部は、中央のキートップの中心から見て９０°の方向に二本のみ設けられていることを特徴とする請求項１又は２又は３又は４に記載のキートップ体にある。
【００１３】
なお上記キートップ体を製造するには、複数のキートップ本体を成形する位置にそれぞれ穴を設けたフイルム板を金型内に収納する工程と、金型の前記フイルム板の各穴を設けた部分の上下にそれぞれ設けたキャビティー内に溶融モールド樹脂を注入・固化した後に金型を取り外して複数のキートップ本体を成形する工程と、前記複数のキートップ本体のフイルム板上面に取り付くキートップ本体上面部と少なくともその外周に位置するフイルム板の上面とにスプレー塗装することで塗装膜からなる装飾層を形成する工程と、前記キートップ体のキートップ本体周囲のフイルム板を、各キートップ間を連結する連結部又はこの連結部及びキートップの周囲から張り出すつば部を残した状態でカットする工程とによって行うことが好ましい。これによって複数のキートップ間を連結して複数のキートップを一つの部品として取り扱うとともにその取り扱いや組み立て作業を容易にする連結部や、キートップの周囲に設けられてキートップの見栄えを良くするのに好適なつば部が、フイルム板のカット工程によって同時に容易に形成できる。また前記カットする工程には、前記キートップ体に設けられた前記連結部の少なくとも一つ以上に位置決め孔を形成するカット工程を同時に具備することが好ましい。これによって他の部材への正確な位置決めに利用できる位置決め用の位置決め孔が、フイルム板の前記カット工程の際に同時に容易に形成できる。さらに前記カットする工程に、連結部から引き出して形成される位置決め孔形成部とこの位置決め孔形成部に設ける位置決め孔とを同時に形成するカット工程を同時に具備するようにしても良い。これによってキートップをさらに独立して動作できる位置決め孔形成部が、フイルム板の前記カット工程の際に同時に容易に形成できる。
【発明の効果】
【００１４】
以上詳細に説明したように本発明によれば、たとえキートップ体に設けたキートップの高さが高かったり複雑な形状であったりしても、容易に各キートップの表面を高品質の色彩からなる装飾層で覆うことができる。
【００１５】
また複数のキートップはそれぞれ連結部によって一体化されており、何れのキートップにおいても独立にスムーズな動作が可能となる。
【００１６】
また位置決め孔を設けたので、キートップ体全体の他の部材への正確な位置決め、取り付けができ、キートップの押圧動作の際に各キートップががたつくことはない。
【００１７】
外周の連結部の途中の部分から外方に向けて引き出して形成される位置決め孔形成部に位置決め孔を設けた場合は、外周のキートップと位置決め孔までの距離が長くなり、さらに各キートップの動作が独立する。
【００１８】
キートップ本体上面部の表面とつば部の上面全体に、スプレー塗装による塗装膜からなる装飾層を形成した場合は、このキートップの上を覆うケースの開口部から各キートップ本体を露出した際、ケースの開口部とキートップ本体側面の隙間から見えるフイルム板製のつば部表面の色彩がキートップ本体表面の色彩と同一なのでその見栄えが良くなる。
【００１９】
中央の連結部を、中央のキートップの中心から見て９０°の方向に二本のみ設けた場合は、これら中央の連結部を中心にして容易に揺動し、その押圧動作をさらに独立してスムーズに行える。
【発明を実施するための最良の形態】
【００２０】
以下、本発明の実施の形態を図面を参照して詳細に説明する。
図１は本発明を用いて製造されるキートップ体１を示す斜視図、図２は図１のＡ−Ａ断面図である。両図に示すように本発明を用いて製造されるキートップ体１は、中央のキートップ１０−１の周囲に四つのキートップ１０−２，３，４，５を設置し、各キートップ１０−１，２，３，４，５間を連結部３０，３５によって一体に結合して構成されている。以下各構成部分について詳細に説明する。
【００２１】
中央のキートップ１０−１と周囲四つのキートップ１０−２，３，４，５とは形状は異なるが構造は同一である。即ち何れのキートップ１０−１，２，３，４，５も、平板状のフイルム板２０に設けた貫通する穴２１を介してその上下に合成樹脂製のキートップ本体５０を取り付けて（成形して）構成されている。ここでキートップ本体５０は、フイルム板２０の上側に取り付くキートップ本体上面部５１と、フイルム板２０の下面に取り付くキートップ本体下面部５３とによってフイルム板２０を挟持することで、フイルム板２０に固定されている。キートップ本体５０の下面からはスイッチ接点を押圧する押圧部５５が突出している。
【００２２】
一方キートップ本体上面部５１の外周にはフイルム板２０がはみ出しており、この外周に位置するフイルム板２０がつば部２３を構成している。隣り合う周囲四つのキートップ１０−２，３，４，５間は、それぞれのつば部２３の外周から突出する合計四本の連結部３０によってリング状に連結されている。中央のキートップ１０−１は前記リング状に連結した四本の各連結部３０の途中（中央）から分岐して中央のキートップ１０−１のつば部２３に接続される四本の連結部３５によって連結されている。連結部３０と連結部３５の各分岐部分（四ヶ所）にはこのキートップ体１を他の部材に位置決めするための穴からなる位置決め孔３３が設けられている。
【００２３】
そして本発明においては、キートップ本体上面部５１の表面とキートップ本体上面部５１の外周に位置するフイルム板２０であるつば部２３及び連結部３０の上面全体に、スプレーによる塗装膜からなる同一の装飾層６０を形成している。
【００２４】
図３乃至図６は、キートップ体１の製造方法を示す図である。即ちキートップ体１を製造するには、まず図３に示すように各キートップ１０−１，２，３，４，５を成形する位置に貫通する穴２１を設けたフイルム板２０を用意する。フイルム板２０は可撓性を有する合成樹脂フイルムであり、この実施形態では熱可塑性フイルムであるポリエチレンテレフタレートフイルムを用いている。
【００２５】
次にこのフイルム板２０の上下を図４に示すように第一，第二金型１００，１５０によって挟持することでフイルム板２０を金型１００，１５０内に収納し、フイルム板２０の穴２１を設けた部分の上下に設けた各キートップ１０−１，２，３，４，５成形用のキャビティーＣ１，Ｃ２内に溶融成形樹脂を注入し、固化した後に金型１００，１５０を取り外せば、図５に示すように、フイルム板２０に五つのキートップ本体５０が成形される。キートップ本体５０の形状は前述のように、金型１００，１５０のキャビティーＣ１，Ｃ２形状によってどのような形状にも容易に成形できる。即ちキートップ１０−１，２，３，４，５は、たとえその高さが高くても、またキートップ１０−１，２，３，４，５の形状が鋭角な角部を有する等、複雑な形状であっても、フイルム板２０を変形することなく、平板状のフイルム板２０を挟持した成形金型１００，１５０のキャビティーＣ１，Ｃ２の形状によってどのような形状にも容易に成形できる。ここでキートップ本体５０の材質としては、種々の成形用合成樹脂材料を用いることができ、この実施形態では熱可塑性合成樹脂であるＡＢＳ樹脂を用いている。
【００２６】
次に図６に示すように、フイルム板２０の表面側部分の全体、即ち五つのキートップ本体５０のフイルム板２０の上面に露出しているキートップ本体上面部５１と、キートップ本体上面部５１の少なくともその外周に位置するフイルム板２０の上面とに、同時にノズル８０から塗料を霧状に噴霧すること等の方法でスプレー塗装を行ない、これによって塗装膜からなる装飾層６０を形成する。この実施形態に用いたスプレー塗料は、その中にメタリック粉を混合したメタリック色調のスプレー塗料である。このスプレー塗装によれば、均一な装飾層６０を容易にキートップ本体上面部５１及び少なくともキートップ本体上面部５１の外周に位置するつば部２３や連結部３０に形成することができ、その際前述したウエルドラインのような不良は生じず、また完全なメタリック調にすることができる。なおこの実施形態では装飾層６０をメタリック調の装飾層としたが、スプレー塗料の材質を変更することで、他の各種高品質な色彩での装飾をすることも容易に行なえる。
【００２７】
なおスプレー塗装によれば、キートップ本体上面部５１の表面だけでなく、少なくともその周囲のフイルム板２０表面に対しても容易に同一厚みになるように装飾層６０を形成することができる。
【００２８】
そして装飾層６０を形成したフイルム板２０を所望の外形形状にカットすることで、図１に示すような中央のキートップ１０−１の周囲に四つのキートップ１０−２，３，４，５を設置し、各キートップ１０−１，２，３，４，５間を連結部３０，３５によって連結し、さらにその表面全体を同一の装飾層６０で覆ってなるキートップ体１が完成する。
【００２９】
上記キートップ板１の製造方法によれば、図３に示すフイルム板２０を大きな寸法形状のものとしてキートップ１０−１，２，３，４，５を一組とする多数組のキートップを同時にフイルム板２０上に成形した上で、一度のスプレー塗装工程と一度のカット工程とによって多数のキートップ体１を同時に製造でき、キートップ体１の大量生産に好適で、製造コストの低コスト化が図れる。
【００３０】
また以上のようにして製造されたキートップ板１においては、キートップ本体上面部５１の表面とフイルム板２０のキートップ本体上面部５１の外周に位置するつば部２３の部分上面とに同一塗装膜からなる装飾層６０を形成したので、キートップ本体５０の表面とつば部２３の表面とが、表面側から見る限りはあたかも同一の材料（一枚のフイルム）によって形成されているかのように見え、このキートップ１の上を覆う図示しないケースの開口部から各キートップ本体５０を露出した際、ケースの開口部とキートップ本体５０側面の隙間から見えるフイルム板２０製のつば部２３表面の色彩がキートップ本体５０表面の色彩と同一なのでその見栄えが良く、好適である。
【００３１】
なお各キートップ１０−１，２，３，４，５間には、フイルム板２０をカットした開口部３７が設けられ、複数のキートップ１０−１，２，３，４，５はそれぞれ連結部３０，３５のみによって一体化されており、何れのキートップ１０−１，２，３，４，５においても独立にスムーズな動作が可能である。即ち何れかのキートップ１０−１〜５を押圧してこれを降下させた場合でも、周囲の別のキートップ１０−１〜５がこれに連動して降下する量は少ない。また連結部３０，３５の分岐部分に他の部材への位置決め用の位置決め孔３３を設けたので、キートップ体１全体の図示しない他の部材（ケース等）への正確な位置決め、取り付けができ、キートップ１０−１，２，３，４，５の押圧動作の際に各キートップ１０−１，２，３，４，５ががたつくことはない。さらに上記実施の形態にかかるキートップ体１は位置決め孔３３を連結部３０に設けたので、位置決め孔３３を特許文献１の図１に示すようにキートップ板の複数のキートップを設けた部分全体の外周側に設ける必要がなく内側に設けることができ、キートップ体１の外形寸法の小型化が図れる。さらにこれら位置決め孔３３を連結部３０と連結部３５の各分岐部分に設けた場合は、各キートップ１０−１〜５から外方に伸びる全ての連結部３０，３５の何れに対しても位置決め孔３３が設けられることとなり位置決めが図れるので、各キートップ１０−１〜５の位置決めによるガタの防止と、それぞれの独立した動作とがより確実に行なえる。なお位置決め孔３３の数は少なくとも１つ以上であれば良い。
【００３２】
なお前記カット工程におけるフイルム板２０のカットの形状は種々の変更が可能であることは言うまでもなく、例えば図７に示すキートップ体１−２のように、フイルム板２０のカット工程において、前記つば部２３となった部分もカットし、これによって各キートップ１０−１，２，３，４，５を連結部３０，３５で連結するのみの構造としてもよい。またキートップの形状や個数も種々の変更が可能であることは言うまでもない。
【００３３】
また図８に示すように、フイルム板２０のカットの形状を変更しても良い。即ちこのキートップ体１−３の場合も、中央のキートップ１０−１の周囲に四つの外周のキートップ１０−２，３，４，５を設置し、各キートップ１０−１〜５間を各つば部２３を介して連結部３０，３５によって一体に結合して構成されている。また各キートップ１０−１〜５の構造は前記キートップ体１の各キートップ１０−１〜５の構造と同じである。
【００３４】
このキートップ体１−３においては、外周の連結部３０の途中の部分（中間部分）からキートップ１０−２〜５間にて外方に向けて位置決め孔形成部４０を引き出して（突出して）形成し、この位置決め孔形成部４０の先端近傍に位置決め孔３３を設けている。なお外周の連結部３０は位置決め孔形成部４０を含む概念である。また中央の連結部３５は二本のみ設けられ、且つこれら二本の中央連結部３５は中央キートップ１０−１の中心から見て９０°の方向に設けられている。つまり二本の中央連結部３５は中央キートップ１０−１の中心から見て１８０°対向する方向には設けられていない。
【００３５】
以上のようにキートップ体１−３を構成すると、各キートップ１０−１〜５の独立した動作が前記キートップ体１，１−２に比べてさらに良好になる。即ちこのキートップ体１−３は外周の連結部３０から引き出した位置決め孔形成部４０においてキートップ体１−３の他の部材への固定が行なわれるので、１つの外周のキートップ１０−２〜５を押圧した際、その両側を固定している位置決め孔３３が直線状の連結部３０の途中になくて直線状の連結部２５の途中から更に各キートップ１０−２〜５の略外側位置（図８（ｂ）中の曲線Ｇ）まで延出した位置にあるため、キートップ１０−２〜５と位置決め孔３３までの距離が更に長くなり、位置決め孔３３を直線状の連結部３０の途中に設けた場合に比べて、さらに各キートップ１０−２〜５の動作が阻害されず、従って各キートップ１０−２〜５の動作がさらに独立する。またこの実施の形態においては、二本の中央の連結部３５を中央のキートップ１０−１の中心から見て１８０°対向する方向に設けず、９０°の方向に設けているので、これら中央の連結部３５を中心にして容易に揺動し、その押圧動作をさらに独立してスムーズに行える。
【００３６】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施の形態では装飾層６０を一色で構成したが、その表面を複数の面に区分してそれぞれ異なる色をスプレー塗装することにより、その表面を複数の色に色分けしても良い。
【図面の簡単な説明】
【００３７】
【図１】本発明を用いて製造されたキートップ体１を示す斜視図である。
【図２】図１のＡ−Ａ断面図である。
【図３】キートップ体１の製造方法を示す図である。
【図４】キートップ体１の製造方法を示す図である。
【図５】キートップ体１の製造方法を示す図である。
【図６】キートップ体１の製造方法を示す図である。
【図７】本発明を用いて製造された他のキートップ体１−２を示す斜視図である。
【図８】本発明を用いて製造された他のキートップ体１−３を示す図であり、同図（ａ）は斜視図、同図（ｂ）は平面図である。
【符号の説明】
【００３８】
１  キートップ体
１０−１，２，３，４，５  キートップ
２０  フイルム板
２１  穴
２３  つば部
３０，３５  連結部
５０  キートップ本体
５１  キートップ本体上面部
５３  キートップ本体下面部
６０  装飾層
１−２  キートップ体
１００  第一金型
Ｃ１  キャビティー
１５０  第二金型
Ｃ２  キャビティー
１−３  キートップ体
４０  位置決め孔形成部
【図１】
2004186146.tif 000003
【図２】
2004186146.tif 000004
【図３】
2004186146.tif 000005
【図４】
2004186146.tif 000006
【図５】
2004186146.tif 000007
【図６】
2004186146.tif 000008
【図７】
2004186146.tif 000009
【図８】
2004186146.tif 000010